【手続補正書】
【提出日】平成16年7月30日(2004.7.30)
【手続補正１】
【補正対象書類名】明細書
【補正対象項目名】全文
【補正方法】変更
【補正の内容】
【書類名】          明細書
【発明の名称】      写真シール払出装置
【特許請求の範囲】
【請求項１】  照明部により照明される被写体を撮像部により撮影し、その撮影画像を含む画像を印刷部により写真シールに印刷して払い出す写真シール払出装置において、
装置本体前方の撮影環境が撮影に適した状態かどうかを検知する検知部と、
前記検知部により撮影環境が撮影に適していない状態であることが検知されたときにその旨を報知する報知部と
を備えていることを特徴とする写真シール払出装置。
【請求項２】  前記検知部が、前記装置本体の前方を囲む背景幕の支持部分に設置されて前記撮影環境を形成する前記照明部の明るさを計測する計測手段を備え、前記計測手段による計測結果に基づき、前記照明部により形成される前記撮影環境の状態を検知することを特徴とする請求項１に記載の写真シール払出装置。
【請求項３】  前記照明部が、前記装置本体前面の複数箇所にそれぞれ配設された照明光源を備え、
前記計測手段が、さらに前記照明部の各照明光源による照明バランスを計測するものであることを特徴とする請求項２に記載の写真シール払出装置。
【請求項４】  前記照明部が、前記装置本体前面の複数箇所にそれぞれ配設された照明光源、および、前記装置本体に配設されたストロボを備え、
前記検知部が、前記各照明光源および前記ストロボに対してそれぞれ設けられて露光量を検出する複数の光センサを備え、前記各光センサの検出値に基づき前記照明部により形成される前記撮影環境の状態を検知することを特徴とする請求項１ないし３のいずれかに記載の写真シール払出装置。
【請求項５】  前記照明部が、前記装置本体前面の複数箇所にそれぞれ配設された照明光源、および、前記装置本体に配設されたストロボを備え、
前記検知部が、前記各照明光源および前記ストロボそれぞれの駆動回路の動作に基づき、前記照明部により形成される前記撮影環境の状態を検知することを特徴とする請求項１ないし３のいずれかに記載の写真シール払出装置。
【請求項６】  前記検知部が、前記それぞれの駆動回路の出力電圧値または電流値を検出する検出手段を備え、
これらの検出手段の検出値が予め定められた所定値を下回ると前記撮影環境が撮影に適していない状態であると検知することを特徴とする請求項５に記載の写真シール払出装置。
【請求項７】  前記検知部が、前記照明部以外の前記撮像部および前記印刷部を始めとする各部の故障も検知することを特徴とする請求項１ないし６のいずれかに記載の写真シール払出装置。
【発明の詳細な説明】
【０００１】
【発明の属する技術分野】
この発明は、被写体を撮影し、その撮影画像を含む画像を印刷した写真シールを払い出す写真シール払出装置に関し、特に撮影環境が撮影に適した状態かどうかを検知する機能を備えたものに関する。
【０００２】
【従来の技術】
従来、写真シール払出装置では、装置本体の前方が白色の背景幕により囲まれて撮影環境が形成され、所定金額の硬貨を装置本体に形成された硬貨投入口に投入することにより、装置本体の前面上部に配置された撮像用カメラにより被写体が撮像され、その撮像画像を含む画像がプリンタにより所定のシール台紙に印刷されて払い出されるようになっている。このとき、照明手段により最適な撮影環境が形成される。
【０００３】
【発明が解決しようとする課題】
ところが、従来の場合、撮影環境に影響を与える照明、例えば照明光源として装置本体前面の上下左右等、複数箇所に配置されている蛍光灯や、ストロボ等に不具合が発生していると、撮影に適した状態ではなくなるため、写真シールの出来上がり状態が悪化するが、ユーザ側では、照明に何らかの異常があっても、通常その写真シール払出装置自体が単に「写りの悪い装置」であるとしか認識しないため、ユーザは次第にその装置の使用を控えるようになる。
【０００４】
その結果、使用頻度の低下により、写真シール払出装置の管理者側としては予想した収入を得ることが難しくなるが、収入減少が照明の不具合に起因していることを管理者は把握できないため、迅速な対応策をとることができず、収入減少を速やかに改善することができないという問題点があった。
【０００５】
また、カメラやプリンタ等にも故障が発生している場合には、照明の場合とは若干異なり、撮影自体ができなかったり、シール台紙に画像が印刷されなくなることから、ユーザ側で故障が発生していると判断でき、ユーザにより管理者に対して返金を求める等の対応がとられるため、管理者側でも異常を把握することができて対応策をとれるが、管理者側でも故障を把握できなければそのまま放置され続けるおそれがある。
【０００６】
そこで、本発明は、装置の撮影環境が撮影に適した状態かどうかを検知し、撮影に適していないときにその旨を報知できるようにした写真シール払出装置を提供することを目的とする。
【０００７】
【課題を解決するための手段】
上記した目的を達成するために、請求項１に記載の発明は、照明部により照明される被写体を撮像部により撮影し、その撮影画像を含む画像を印刷部により写真シールに印刷して払い出す写真シール払出装置において、装置本体前方の撮影環境が撮影に適した状態かどうかを検知する検知部と、前記検知部により撮影環境が撮影に適していない状態であることが検知されたときにその旨を報知する報知部とを備えていることを特徴としている。
【０００８】
このような構成によれば、例えば照明部に何らかの異常があって撮影環境が撮影に適した状態でないときには、検知部により撮影環境が撮影に適した状態でないことが検知されて、報知部によりその旨が報知されるため、装置のユーザや管理者は、報知部の報知から照明部等に異常があって撮影に適した環境でないことを容易に判断することができる。
【０００９】
このとき、報知部は、所定のメッセージを表示するものや、ランプ、ブザー等により構成するのが望ましい。また、遠隔地に異常発生を報知する場合には、報知部に通信回線を使って通信するようにしてもよい。
【００１０】
また、請求項２に記載の発明は、前記検知部が、前記装置本体の前方を囲む背景幕の支持部分に設置されて前記撮影環境を形成する前記照明部の明るさを計測する計測手段を備え、前記計測手段による計測結果に基づき、前記照明部により形成される前記撮影環境の状態を検知することを特徴としている。
【００１１】
このような構成によれば、計測手段により、撮影環境を形成する照明部の明るさが計測され、その計測結果に基づき、照明部により形成される撮影環境が撮影に適した状態かどうか検知されるため、照明部に異常がある場合には、報知部の報知から、照明部の異常が原因で撮影に適さない撮影環境であることを容易に知ることができる。
【００１２】
また、請求項３に記載の発明は、前記照明部が、前記装置本体前面の複数箇所にそれぞれ配設された照明光源を備え、前記計測手段が、さらに前記照明部の各照明光源による照明バランスを計測するものであることを特徴としている。
【００１３】
このような構成によれば、計測手段により、装置本体前面の複数箇所にそれぞれ配設された照明光源による照明バランスが計測され、その計測結果に基づき、各照明光源により形成される撮影環境が撮影に適した状態かどうか検知されるため、各照明光源に異常がある場合には、報知部の報知から、各照明光源の異常が原因で撮影に適さない撮影環境であることを容易に知ることができる。
【００１４】
ここで、計測手段には、例えば装置本体の前方を囲む背景幕の支持部分に取り付けられて装置本体前面を撮影するＣＣＤカメラやＣＭＯＳカメラ等から成る定点カメラを用いることができ、特にこのような定点カメラの場合には、例えばＵＳＢ(Universal Serial Bus)インターフェイスを備え、パソコン等の制御装置と接続し、パソコン側でこれらカメラによる撮像データを解析することにより、照明部の明るさおよび照明バランスを定量的に計測することができ、その結果から照明部に異常があるかどうかを判断することができる。更に、計測手段はこのような定点カメラに限らず、照明部の明るさおよび照明バランスを計測し得るものであればいずれの手段であっても構わない。
【００１５】
また、請求項４に記載の発明は、前記照明部が、前記装置本体前面の複数箇所にそれぞれ配設された照明光源、および、前記装置本体に配設されたストロボを備え、前記検知部が、前記各照明光源および前記ストロボに対してそれぞれ設けられて露光量を検出する複数の光センサを備え、前記各光センサの検出値に基づき前記照明部により形成される前記撮影環境の状態を検知することを特徴としている。
【００１６】
このような構成によれば、各光センサにより、各照明光源およびストロボの露光量が検出され、その計測検出によって、照明部により形成される撮影環境が撮影に適した状態かどうか検知されるため、照明部に異常がある場合には、報知部の報知から、照明部の異常が原因で撮影に適さない撮影環境であることを容易に知ることができる。
【００１７】
また、請求項５に記載の発明は、前記照明部が、前記装置本体前面の複数箇所にそれぞれ配設された照明光源、および、前記装置本体に配設されたストロボを備え、前記検知部が、前記各照明光源および前記ストロボそれぞれの駆動回路の動作に基づき、前記照明部により形成される前記撮影環境の状態を検知することを特徴としている。
【００１８】
このような構成によれば、照明部を構成する各照明光源およびストロボそれぞれの駆動回路動作状態を直接的に検知するため、照明部の異常が原因で撮影に適さない撮影環境であるかどうか判断することができる。このとき、例えば各照明光源およびストロボそれぞれの駆動回路の出力電圧や電流をモニタし、それらが予め定められた所定値を下回れば、異常有り（例えば、露光不足）と判断することができる。
【００１９】
また、請求項６に記載の発明は、前記検知部が、前記それぞれの駆動回路の出力電圧値または電流値を検出する検出手段を備え、これらの検出手段の検出値が予め定められた所定値を下回ると前記撮影環境が撮影に適していない状態であると検知することを特徴としている。
【００２０】
このような構成によれば、各照明光源およびストロボそれぞれの駆動回路の出力電圧値や電流値が検出され、それらが予め定められた所定値を下回ると、撮影環境が撮影に適していない状態であると判断することができる。
【００２１】
また、請求項７に記載の発明は、前記検知部が、前記照明部以外の前記撮像部および前記印刷部を始めとする各部の故障も検知することを特徴としている。このような構成によれば、検知部により撮像部、印刷部などの故障も確実に把握することができる。
【００２２】
【発明の実施の形態】
この発明の一実施形態について図１ないし図５を参照して説明する。但し、図１は写真シール払出装置の外観斜視図、図２は制御系のブロック図、図３は一部の概略構成図、図４は動作説明用フローチャートである。
【００２３】
図１に示すように、この写真シール払出装置１では、装置本体１１の正前中央に設けられた撮影ユニット２０で撮影された写真が装置本体１１の前面中央下部に設けられた表示部としての操作パネル３０のメイン画面領域に表示されている。そして、ユーザがタッチペン４０と操作パネル３０に設けられている操作画面とを用いて、操作パネル３０に表示された画像に対し図形や文字等を入力して編集した後、編集された画像を装置本体１１の内部に設けられたプリンタ５０がシール台紙に印刷する。こうして印刷された写真シールは装置本体１１の側面に設けられたシール取出口１２から排出される。以下、装置各部の構成について、図１および図２を参照して詳しく説明する。
【００２４】
撮影ユニット２０には、ＣＣＤカメラ２１および撮影モニタ２２が設けられており、撮像部として機能するＣＣＤカメラ２１が編集の対象となる写真画像を撮影する一方、撮影モニタ２２には現在ＣＣＤカメラ２１に映る画像が表示され、ユーザはこの撮影モニタ２２に表示された画像を見ながら撮影する写真の構図を決めることができるようになっている。
【００２５】
また、この撮影ユニット２０は所定の範囲内で撮影方向を上下左右に可動自在となっており、ユーザが上記した写真の構図を自由に設定できるようになっている。すなわち、撮影ユニット２０は、撮影ユニット駆動装置２３に取りつけられていて、後述するコントローラ部１０からの指令に基づいて撮影ユニット駆動装置２３が撮影ユニット２０を駆動することにより、撮影ユニット２０の撮影方向の上下左右への可変設定が行われる。
【００２６】
こうしてＣＣＤカメラ２１により撮影された写真は操作パネル３０ほぼ中央部に形成されたメイン画面領域に表示される。つまり、操作パネル３０は、画像を表示するための画面を有するメイン画面と、その周辺、特に左右に配置された操作画面と、それらの画面上に設けられたデジタイザとで構成されている。本実施形態では、メイン画面が、編集の対象である、撮影された写真画像またはこれに文字等を書き加えて編集中のもしくは編集の済んだ画像（以下、これらを総称して「編集画像」という）を表示するようになっており、デジタイザにより、タッチペン４０が触れた画面上の位置を検出している。
【００２７】
尚、操作パネル３０としては、陰極線管式、液晶ディスプレイ、リアプロジェクション式など、種々の方式が考えられるが、これらおよびそれ以外のいずれの方式であってもよい。また、デジタイザとしては、赤外線方式、容量結合方式など、種々の方式が考えられるが、本実施形態においては、可視光に対する透過性があり、タッチペン４０との組合せによって使用できるものであって、複数の入力を識別することができるものであればどのような方式のものであってもよい。
【００２８】
更に、操作パネル３０のメイン画面の左右に形成された操作画面は、ユーザがタッチペン４０を把持してその先端をこの操作画面やメイン画面に触れることによって、予め選択した図形の配置を指定したり、手書き文字を入力したり、表示色を選択したりすることができる。このタッチペン４０が接続ケーブル４０１によって装置本体１１と接続されている。
【００２９】
この操作画面には、装置の動作状況に応じて上記した描画パターンのメニュー以外にも、上記した撮影ユニット２０の移動やシャッター操作などを行うためのメニューや他の編集作業のためのメニュー等の各操作メニューも表示することができるようになっている。
【００３０】
ところで、この他装置本体１１には、利用者に料金を投入させるための硬貨投入口１６および装置の管理者がこれを取り出すための硬貨取出口１７、装置本体１１の複数箇所に配設され鮮明な写真を撮影するために必要な露光量を確保するための蛍光灯およびその駆動用インバータ回路等から成る照明光源６１，６２、音声による操作案内や背景音楽等を流すためのスピーカ７０がそれぞれ設けられている。更に、各照明光源６１，６２のほかに、装置本体１１に配設されて撮影時に影をなくすために点滅駆動されるストロボ、照明光源６１，６２の駆動回路であるインバータ回路およびストロボの駆動回路が設けられており、これら各照明光源６１，６２、ストロボおよびこれらの駆動回路により照明部６０が構成されている。
【００３１】
次に、この写真シール払出装置１の制御部としてのコントローラ部１０の構成について、図２を参照して説明すると、このコントローラ部１０には、ＣＰＵ１０１が設けられており、このＣＰＵ１０１が、予め設定されたプログラムを実行して装置各部を制御している。また、コントローラ部１０には、ＣＰＵ１０１が実行すべきプログラムや装置の動作状態を一時記憶するメモリ１０２および画像データを記憶するためのハードディスク（ＨＤ）装置１０３が設けられている。
【００３２】
更に、コントローラ部１０には、ＣＣＤカメラ２１からの画像データを受け付けてデジタル信号に変換するための画像入力部１０４、操作パネル３０に編集画像を表示させるための表示処理部１０５、デジタイザおよびタッチペン４０からの位置情報を処理する入力処理部１０６および撮影された画像や描画画像を重ね合わせた合成画像を生成するための画像処理部１０７、プリンタ５０に対する制御信号および画像信号を出力する画像出力部１０８、並びに後述する検知部２００からのセンサ出力が入力されるセンサ処理部１０９が設けられており、これら各機能ブロックが内部バス１１０を介して相互に接続されている。
【００３３】
また、図２に示すように、上記した照明光源６１，６２およびストロボ等から成る照明部６０、硬貨投入口１６から投入された硬貨の金額を検出して所定代金を検出したときにＣＰＵ１０１にその旨通知する硬貨処理部８０、硬貨取出口１７の施錠状態を検知して異常時に防犯ブザーを駆動する防犯部９０が設けられ、これら照明部６０、硬貨処理部８０、防犯部９０がコントローラ部１０のＣＰＵ１０１により制御される。
【００３４】
そして、図２に示すように、照明部６０により形成される撮影環境の状態、および、照明部６０を除く各部の故障の有無を検知する検知部２００が設けられており、この検知部２００は、図２には特に図示されていないが、ＣＣＤカメラ２１、操作パネル３０、タッチペン４０、プリンタ５０などにそれぞれ設けられた異常検出用のセンサを備えており、これらのセンサの出力がコントローラ部１０のセンサ処理部１０９に通信により取得され、ＣＰＵ１０１により各センサの検出値に基づき、各部における故障の有無を判断し、故障有りと判断すると、ＣＰＵ１０１により故障部位とその旨のメッセージを表示すべく操作パネル３０が制御され、或いは、ＣＰＵ１０１により防犯部９０が制御されて防犯ブザーが駆動され、故障発生が報知される。このとき、防犯ブザーを防犯時とは異なるパターンで駆動することにより防犯と故障とを識別できるようにしておくとよい。この場合、操作パネル３０および防犯ブザーが本発明における「報知部」に相当する。
【００３５】
また、報知部として故障発生時にＣＰＵ１０１により点灯制御されるパイロットランプ等を別途本体１１に設けてもよく、或いは、通信回線を介して管理センターに故障部位を通報する機能を備えていてもよく、これらを適宜組み合わせても構わない。
【００３６】
更に、硬貨処理部８０および防犯部９０についても検知部２００を構成する同様のセンサが設けられ、例えば硬貨投入口１６に硬貨を投入できないときや、硬貨取出口１７が強制解錠されても防犯部９０が作動しないときに、これらのセンサの出力に基づき、ＣＰＵ１０１により故障が検出されてその旨が報知される。
【００３７】
ところで、照明部６０については、上記したセンサのような通信機能を持たせることは困難であることから、装置本体１１の前方を囲む白色の背景幕（図１では図示省略）の支持部分に、計測手段であるＣＣＤカメラまたはＣＭＯＳカメラ等から成る定点カメラ２１０を取り付け、この定点カメラ２１０により必要なときに装置本体１１の前面を撮影し、定点カメラ２１０の撮影データをコントローラ部１０に取り込んでＣＰＵ１０１により解析して、照明部６０により形成される撮影環境の明るさ、および上下左右等の照明バランスを計測し、この計測結果から撮影環境が予め定められた最適状態であるかどうかを判断して、照明部６０に何らかの異常が有るか無いかを検知するようにしている。かかる定点カメラ２１０が、上記した各部のセンサと共に検知部２００を構成すべく設けられている。この定点カメラ２１０の取り付けは、上記した背景幕の支持部分に限定されず、要するに装置本体１１の前面を撮影可能な位置に取り付ければよい。
【００３８】
尚、コントローラ部１０はパソコンにより構成することができ、１台のパソコン以外にバックアップ用のパソコンを設置し、両パソコンをＬＡＮにより接続して相互に監視し合うようにしてもよい。また、パソコンのバックアップ電源として無停電電源装置を搭載する場合には、この無停電電源装置の異常も監視するようにしてもよい。
【００３９】
次に、装置１の動作について図４にフローチャートを参照して説明する。この装置１では、動作の進行に伴って、予めハードディスク装置１０３に記憶された音声データをスピーカ７０から再生することによって、利用者に対して音声による操作の案内を行っているので、装置に不慣れな利用者であっても簡単かつ確実に操作を行えるようになっている。
【００４０】
まず、電源が投入されて装置各部が起動されると、図４に示すように、検知部２００により、照明部６０により形成される撮影環境が撮影に適した状態かどうかの検知処理が実行される（Ｓ１）。このとき、撮影環境が撮影に適していなければ、操作パネル３０にその旨が表示される等して報知される。また、ＣＣＤカメラ２１やプリンタ５０に異常がある場合には、故障と判断されてその旨が報知される。
【００４１】
その後、予め設定されてハードディスク装置１０３に記憶された画像および音声によるオープニングムービーが操作パネル３０のメイン画面およびスピーカ７０から再生され（Ｓ２）、装置は待機状態となる。このとき、起動直後に検知部２００により撮影環境の状態をサーチするのは勿論のこと、その後一定時間毎にサーチを繰り返したり、或いは管理者の要求がある毎にサーチを繰り返すように設定しておくのがよい。
【００４２】
続いて、ユーザにより所定の硬貨が硬貨投入口１６に投入されたことが検知されると（Ｓ３）、まずＣＣＤカメラ２１により被写体を撮影する写真撮影が行われる（Ｓ４）。この写真撮影モードでは、ユーザの操作によって撮影ユニット２０の調整やＣＣＤカメラ２１のズーム操作等が可能となっており、ユーザは撮影モニタ２２に表示される画像を確認しながら、撮影する写真の構図を自由に設定することができる。
【００４３】
更に、背景となる画像をユーザに選択させる背景選択モードが実行される（Ｓ５）。具体的には、予めハードディスク装置１０３に記憶された複数の背景画像データを読み出し、例えば操作パネル３０の操作画面に読み出した各背景画像データによる複数の背景画像を表示させ、ユーザが好みの画像に触れることにより選択した背景画像を先に撮影した写真画像と重ね合わせてメイン画面に表示させる。そして、ユーザが気に入れば、操作画面の例えば「ＯＫ」と表示された部分に触れることで背景画像を確定する。
【００４４】
そして、写真および背景画像に図形や文字を書き込む画像編集が行われ（Ｓ６）、この画像の編集が終了すると、ユーザにより、制限された撮影回数の範囲内で別の写真撮影を行うか否かの選択が行われ（Ｓ７）、撮影を続行する場合には上記したステップＳ４に戻り、こうすることによって、編集された複数の画像がハードディスク装置１０３に記憶される。
【００４５】
こうして所定枚数の画像の編集が終了すると、これらの画像のシール台紙上への配置を決めるレイアウト編集が行われる（Ｓ８）。すなわち、ハードディスク装置１０３には、１枚のシール台紙を複数の区画に区分したレイアウトパターンが複数種類記憶されており、ユーザにこれらのレイアウトパターンの中から１つを選択させるとともに、編集された各画像をどの区画に配置するかを決定させる。これらのレイアウトパターンとしては、例えば１枚のシール台紙を全て同じサイズの区画に区分するものや、形状・サイズの異なる区画を含むものなどを用いることができる。
【００４６】
このようにして画像の編集およびレイアウト作業が終了すると、プリンタ５０が上記した編集画像を選択されたレイアウトに基づき、シール台紙への印刷が実行され（Ｓ９）、こうして作成された写真シールがシール取出口１２から排出される。
【００４７】
従って、装置１の起動直後に、検知部２００により、照明部６０によって形成される撮影環境の状態を検知するため、照明部６０に何らかの異常があって撮影環境が撮影に適した状態でないときには、検知部２００により撮影環境が撮影に適した状態でないことが検知されてその旨が報知されるため、その報知から、装置１のユーザや管理者は、撮影環境が撮影に適した環境でないことを容易に判断することができる。
【００４８】
また、定点カメラ２１０による撮像データをコントローラ部１０側で解析するため、照明部６０の明るさおよび照明バランスを定量的に計測することができ、その結果から照明部６０に何らかの異常があるかどうかを確実に判断することができる。しかも、照明部６０以外の各部、例えばＣＣＤカメラ２１やプリンタ５０などの故障も検知できるため、装置１の信頼性の向上を図ることができる。
【００４９】
なお、本発明の他の実施形態として、図５に示すように、上記した操作パネル３０はメイン画面としての機能のみを与え、装置本体１１の操作パネル３０の両側に上記した操作画面として機能するタッチパネル構造のサブパネル２３０Ａ，２３０Ｂを配設し、両サブパネル２３０Ａ，２３０Ｂに対応して２個のタッチペン４０Ａ，４０Ｂを設けた構成の装置１に対しても、本発明を同様に適用することができ、上記した実施形態と同様の効果を得ることができる。
【００５０】
更に、上記した各実施形態では、検知部２００として、定点カメラ２１０を備えた場合について説明したが、これ以外に、各照明光源６１，６２およびストロボそれぞれに対して露光量を検出する光センサを設け、各光センサの検出値に基づき、照明部６０の異常の有無を検知したり、或いは、各照明光源６１，６２およびストロボそれぞれの駆動回路の出力電圧値または電流値を検出する検出手段を設け、これらの検出センサの検出値に基づき、照明部６０の異常の有無を検知するようにしてもよい。
【００５１】
更に、上記した各実施形態において、デジタルカメラやパソコンなどの外部装置やインターネット回線等に接続するためのインターフェースをさらに設け、外部から画像を取り込んだり、編集した画像データを外部に送信することができるようにしてもよく、この場合にこのインターフェースの異常を検知部により検知するように構成するとよい。
【００５２】
また、本発明は上記した実施形態に限定されるものではなく、その趣旨を逸脱しない限りにおいて上述したもの以外に種々の変更を行うことが可能である。
【００５３】
【発明の効果】
以上のように、請求項１に記載の発明によれば、例えば照明部に何らかの異常があって撮影環境が撮影に適した状態でないときには、検知部により撮影環境が撮影に適した状態でないことが検知されて、報知部によりその旨が報知されるため、装置のユーザや管理者は、報知部の報知から照明部等に異常があって撮影に適した環境でないことを容易に判断することが可能になる。
【００５４】
また、請求項２に記載の発明によれば、計測手段により、撮影環境を形成する照明部の明るさが計測され、その計測結果に基づき、照明部により形成される撮影環境が撮影に適した状態かどうか検知されるため、照明部に異常がある場合には、報知部の報知から、照明部の異常が原因で撮影に適さない撮影環境であることを容易に知ることが可能になる。
【００５５】
また、請求項３に記載の発明によれば、計測手段により、装置本体前面の複数箇所にそれぞれ配設された照明光源による照明バランスが計測され、その計測結果に基づき、各照明光源により形成される撮影環境が撮影に適した状態かどうか検知されるため、各照明光源に異常がある場合には、報知部の報知から、各照明光源の異常が原因で撮影に適さない撮影環境であることを容易に知ることができる。
【００５６】
また、請求項４に記載の発明によれば、各光センサにより、各照明光源およびストロボの露光量が検出され、その計測検出によって、照明部により形成される撮影環境が撮影に適した状態かどうか検知されるため、照明部に異常がある場合には、報知部の報知から、照明部の異常が原因で撮影に適さない撮影環境であることを容易に知ることが可能になる。
【００５７】
また、請求項５に記載の発明によれば、照明部を構成する各照明光源およびストロボの駆動回路動作状態を直接的に検知するため、照明部の異常が原因で撮影に適さない撮影環境であるかどうか判断することができる。このとき、例えば各照明光源およびストロボそれぞれの駆動回路の出力電圧や電流をモニタし、それらが予め定められた所定値を下回れば、異常有りと判断することが可能になる。
【００５８】
また、請求項６に記載の発明によれば、各照明光源およびストロボそれぞれの駆動回路の出力電圧値や電流値を検出するため、それらが予め定められた所定値を下回ると、撮影環境が撮影に適していない状態であると判断することができる。
【００５９】
また、請求項７に記載の発明によれば、検知部により撮像部、印刷部などの故障も確実に把握することが可能になる。
【図面の簡単な説明】
【図１】
この発明の一実施形態の外観斜視図である。
【図２】
この発明の一実施形態における制御系のブロック図である。
【図３】
この発明の一実施形態の一部の概略構成図である。
【図４】
この発明の一実施形態の動作説明用フローチャートである。
【図５】
この発明の他の実施形態の外観斜視図である。
【符号の説明】
１０    コントローラ部
２１    ＣＣＤカメラ（撮像部）
５０    プリンタ（印刷部）
６０    照明部
６１，６２  照明光源
２００  検知部
２１０  定点カメラ（計測手段）